(57)【要約】【課題】手術室における手術台周り及び外周部における快適性を高める。【解決手段】本発明に係る手術室の空調システムは、手術室１の天井における手術台１０の上方に設けられた第１吹出口３２と、手術室１の側壁１２の上部に設けられた第２吹出口３４，３４と、手術室１の側壁１２の下部に設けられた吸込口と、第１吹出口３２から吹き出す給気を調製する第１空調機と、第２吹出口３４，３４から吹き出す給気ＳＢを調製する第２空調機と、を備えている。本発明に係る手術室の空調システムは、前記給気を第１吹出口３２から手術台１０に向けて吹き出す第１系統と、給気ＳＢを第２吹出口３４，３４から手術室１の外周部Ｎに向けて吹き出す第２系統と、を有する。【選択図】図４
2018194265.tif 000002
【特許請求の範囲】
【請求項１】
手術台を有する手術室に適用される空調システムであって、
前記手術室の天井における前記手術台の上方に設けられた第１吹出口と、
前記手術室の側壁の上部又は前記天井の外周部に設けられた第２吹出口と、
前記手術室の側壁の下部に設けられた吸込口と、
前記第１吹出口から吹き出す第１給気を調製する第１空調機と、
前記第２吹出口から吹き出す第２給気を調製する第２空調機と、
を備え、
前記第１給気を前記第１吹出口から前記手術台に向けて吹き出す第１系統と、
前記第２給気を前記第２吹出口から前記手術室の外周部に向けて吹き出し、前記外周部を旋回する旋回流を生じさせる第２系統と、
を有することを特徴とする手術室の空調システム。
【請求項２】
前記第２吹出口は、前記手術室の側壁の上部又は前記天井の外周部において平面視で前記手術台を挟んで対角線上に対をなして設けられていることを特徴とする請求項１に記載の手術室の空調システム。
【請求項３】
前記手術室は平面視において長方形に形成され、
前記第２吹出口は、前記長方形の長辺をなす側壁の端部に設けられ、
前記第２系統は、前記第２給気を前記一対の第２吹出口から前記長方形の短辺をなす側壁に沿う方向に吹き出すことを特徴とする請求項１又は２に記載の手術室の空調システム。
【請求項４】
前記第２給気の吹き出し速度は、０．５ｍ／ｓ以上３．０ｍ／ｓ以下に設定されていることを特徴とする請求項１から３の何れか一項に記載の手術室の空調システム。
【請求項５】
前記第２吹出口は前記第２給気の吹き出し方向を変更可能に構成されていることを特徴とする請求項１から４の何れか一項に記載の手術室の空調システム。
【発明の詳細な説明】
【技術分野】
【０００１】
本発明は、手術室の空調システムに関する。
【背景技術】
【０００２】
従来、医療施設における治療室として、必要に応じてその場で患者の手術（オぺ）を行える機能を備えた手術室が知られている。この種の手術室の空調設備は、手術中の感染を防ぐ必要があることからクリーンルームとなっており、手術室の送風の吹出口は清浄空気を手術台周りに吹き出すようにして配置されている（例えば、特許文献１参照）。
【０００３】
従来の手術室（クリーンルーム）では、吹出口に高性能フィルタが設けられ、吹出口から清浄空気を低速で真下に向けて落とすようにして吹き出すことで、手術台周りを中心とした空気清浄化が行われている。そのため、吹出口は、手術台の真上に設けられている。また、従来の手術室（クリーンルーム）の空調設備としては、手術台上部の吹出口から空調空気の全風量を吹き出すと共に、手術室における外周部の壁面下部に設けられた還気口から還気を吸い込むことで、手術室内の空気を循環させる空調システムが知られている。
【先行技術文献】
【特許文献】
【０００４】
【特許文献１】特開２００６−１１２７５５号公報
【発明の概要】
【発明が解決しようとする課題】
【０００５】
しかしながら、従来の手術室では、手術台の上部に設けられた吹出口からの送風温度を変化させることによって手術室内温度を設定範囲内に保っているため、手術台周りの温度が変動し、快適性が不十分になる欠点があった。また、手術台周りの執刀医や患者を優先した温度設定で空調運転が行われているため、手術台の周辺で作業する医療スタッフにとっては、さらに快適性が不十分となる虞があった。また、吹出口から吹き出される冷風は低風速であるため、床面まで下降した後、壁面下部に設けられた還気口へ直接導かれる。つまり、冷風はショートサーキットとなり、手術室における外周部の空気が淀み易く、その点で改善の余地があった。
【０００６】
上述の課題をふまえ、手術室における手術台周り及び外周部における快適性を向上させる試みがなされているが、快適性をさらに高めることができる空調システムが求められていた。
【０００７】
本発明は、上記事情に鑑みてなされたものであり、手術室の手術台周り及び手術台の外周部における快適性を向上させることができ、外周部の空気の淀みを解消することができる手術室の空調システムを提供する。
【課題を解決するための手段】
【０００８】
請求項１に記載の手術室の空調システムは、手術台を有する手術室に適用される空調システムであって、前記手術室の天井における前記手術台の上方に設けられた第１吹出口と、前記手術室の側壁の上部又は前記天井の外周部に設けられた第２吹出口と、前記手術室の側壁の下部に設けられた吸込口と、前記第１吹出口から吹き出す第１給気を調製する第１空調機と、前記第２吹出口から吹き出す第２給気を調製する第２空調機と、を備え、前記第１給気を前記第１吹出口から前記手術台に向けて吹き出す第１系統と、前記第２給気を前記第２吹出口から前記手術室の外周部に向けて吹き出し、前記外周部を旋回する旋回流を生じさせる第２系統と、を有することを特徴とする。
【０００９】
本明細書では、側壁の上部とは極力天井に近い側壁の部分を示し、具体的には第２吹出口の上端が側壁の上端から高さ０ｃｍ以上１００ｃｍ以下下降した位置にあることを示す。また、天井の外周部とは、天井において外周縁に近い部分を示し、具体的には第２吹出口において天井の外周縁に最も近い外周端が天井の外周縁から０ｃｍ以上１００ｃｍ以下内側の位置にあることを示す。また、側壁の下部とは極力床に近い側壁の部分を示し、具体的には吸込口の下端が側壁の下端から高さ０ｃｍ以上５０ｃｍ以下上昇した位置にあることを示す。
【００１０】
上述の手術室の空調システムによれば、第１系統において第１吸込口で吸引した手術室の還気の温度を第１空調機で適温に調節し、調整された給気（第１給気）を第１吹出口から手術台に向けて吹き出し、手術室における外周部（以下、単に「外周部」という場合がある）を旋回する旋回流（以下、単に「旋回流」という場合がある）を生じさせることができる。これにより、手術台及び手術台周りの執刀医等は快適な温度で作業を行うことができる。一方、第１系統とは別に設けられた第２系統では、第１吸込口で吸引した手術室の還気の温度を第２空調機で適温に調整し、調整された給気（第２給気）を手術室における外周部に提供することができる。
【００１１】
上述のように手術台への吹き出しをメインとする第１系統とは別系統となる第２系統を設けることで、手術台周りと外周部の双方のエリアを対象とした温度制御を行うことができ、執刀医及び外周部で作業する医療スタッフの温度環境を向上させることができる。また、第２吹出口から給気が吹き出されることで、外周部において空気が滞留する淀みを抑えることができる。また、第２吹出口が手術室の側壁の上端部に設けられ、一対の第２吹出口から給気が外周部に、即ち手術室の側壁に沿って吹き出すことで、手術台周りの気流が乱れ難くなるため、前述のように外周部において空気が滞留する淀みを抑える効果が高まる。つまり、手術室における手術台周り及び外周部に空気の流れ（旋回流）を生じさせることができるので、手術台周り及び外周部における快適性及び清浄度を向上させることができる。
【００１２】
請求項２に記載の手術室の空調システムでは、前記第２吹出口は、前記手術室の側壁の上部又は前記天井の外周部において平面視で前記手術台を挟んで対角線上に対をなして設けられていることを特徴とする。
【００１３】
上述の手術室の空調システムによれば、対をなす第２吹出口（即ち、一対の第２吹出口）の各々から吹き出す第２給気によって、旋回流が円滑に効率良く発生する。
【００１４】
請求項３に記載の手術室の空調システムでは、前記手術室は平面視において長方形に形成され、前記一対の第２吹出口は、前記長方形の長辺をなす側壁の端部に設けられ、前記第２系統は、前記第２給気を前記一対の第２吹出口から前記長方形の短辺をなす側壁に沿って吹き出すことを特徴とする。
【００１５】
本明細書では、側壁の端部とは極力端に近い側壁の部分を示し、具体的には、第２吹出口において側壁の側端に近い方の側端が側壁の側端から０ｃｍ以上１００ｃｍ以下離間した位置にあることを示す。
【００１６】
上述の手術室の空調システムによれば、一対の第２吹出口から吹き出す給気が手術台周りの空気の流れを確実に乱し難くなり、手術台周り及び外周部における快適性及び清浄度が良好に維持される。
【００１７】
請求項４に記載の手術室の空調システムでは、前記第２給気の吹き出し速度は０．５ｍ／ｓ以上３．０ｍ／ｓ以下に設定されていることを特徴とする。
【００１８】
上述の手術室の空調システムによれば、一対の第２吹出口から吹き出す給気の速度を適切にすることができるので、第２給気を適切な速度で外周部に渡らせ、手術台周りの気流を確実に乱れ難くすることができる。
【００１９】
請求項５に記載の手術室の空調システムでは、前記第２吹出口は前記第２給気の吹き出し方向を変更可能に構成されていることを特徴とする。
【００２０】
上述の手術室の空調システムによれば、手術室における全体的な空気の流れ、第１吹出口から手術台に向けて吹き出された第１給気による下降流（以下、単に「下降流」という場合がある）の状況等に合わせて第２給気の吹き出し方向が調整可能とされ、下降流を乱すことなく旋回流が円滑に効率良く発生すると共に、維持される。
【発明の効果】
【００２１】
本発明に係る手術室の空調システムによれば、手術室における手術台周りの気流を乱さず、手術室における外周部において空気が滞留する淀みを抑えることができるので、手術室における快適性及び清浄度を向上させることができる。
【図面の簡単な説明】
【００２２】
【図１】本発明を適用した一実施形態の手術室の空調システムの概略構成を示す側面図である。
【図２】図１に示す空調システムの系統図である。
【図３】図１に示す空調システムを備えた手術室の配置図である。
【図４】図１に示す空調システムを備えた手術室に生じる下降流及び旋回流を説明するための平面図である。
【発明を実施するための形態】
【００２３】
以下、本発明を適用した手術室の空調システム（以下、単に「空調システム」という場合がある）の実施形態について説明する。なお、以下の説明で用いる図面は模式的なものであり、長さ、幅及び厚みの比率等は実際のものと同一とは限らず、適宜変更することができる。
【００２４】
図１から図３に示すように、本実施形態による空調システム５０は、病院等の医療施設における手術室１を対象として適用されるものであって、１台の第１空調機２（２Ａ）と、複数台（図３では２台）の第２空調機２（２Ｂ）を手術室１に面して配置することにより、第１及び第２の空調機２Ａ、２Ｂによって手術室１に対する空調を行うことを基本とするものである。
【００２５】
特に、手術室１では、運用状況に応じて厳密な温湿度制御を刻々と行う必要があり、空調システム５０は、高度な温湿度制御を比較的簡易な構成で確実に実施し得るものとして構成されている。
【００２６】
空調システム５０は、手術室１の天井１１における中央部分で手術台１０の上方に設けられた第１吹出口３２と、手術室１の側壁１２の上部に設けられた一対の第２吹出口３４，３４と、手術室１における外周部Ｎの上方の天井１１に設けられた第１吸込口４と、手術室１の側壁１２の下部に設けられた第２吸込口（吸込口）２３と、を有する。また、空調システム５０は、第１吹出口３２から吹き出す給気（第１給気）ＳＡを調製する第１空調機２（２Ａ）と、第２吹出口３４から吹き出す給気（第２給気）ＳＢを調製する第２空調機２（２Ｂ）と、を備えている。さらに、空調システム５０は、図２に示すように、給気ＳＡを第１吹出口３２から手術台１０に向けて吹き出す第１系統Ｐ１と、給気ＳＢを前記第２吹出口から手術室１における外周部Ｎに向けて吹き出す第２系統Ｐ２と、を有する。
【００２７】
平面視において、手術室１の中央には、手術台１０が設置されている。手術室１の平面視形状は、図３に示すように面取りされた長方形をなしている。一対の第２吹出口３４，３４は、前記長方形の長辺をなす側壁１２Ｌの端部に設けられ、且つ手術台１０を挟んで対角線Ｃ上に設けられている。第２系統Ｐ２は、給気ＳＢを一対の第２吹出口３４，３４の各々から前記長方形の短辺をなす側壁１２Ｓに沿う方向に吹き出し可能に構成されている。
【００２８】
第１吹出口３２及び第２吹出口３４の各々には、高性能フィルタを備えた第１フィルターユニット３１、第２フィルターユニット３３が設けられている。
【００２９】
図２及び図３は、図１に示す空調システム５０を具体化した系統図である。即ち、空調システム５０では、上述したように、第１空調機２Ａから第１吹出口３２までの空調系統をなす第１系統Ｐ１と、第２空調機２Ｂから第２吹出口３４までの空調系統をなす第２系統Ｐ２と、を有する。
【００３０】
空調システム５０は、図２及び図３に示すように、第１及び第２の空調機２Ａ，２Ｂを手術室１に面する位置に配置して手術室１からの還気ＲＡを空調機２Ａ，２Ｂの各々に吸引する。
【００３１】
第１系統Ｐ１では、第１空調機２Ａによって調製された給気ＳＡが給気ダクト３５によって第１吹出口３２に向けて送風され、さらに第１フィルターユニット３１を通過し、第１吹出口３２から下方の手術台１０に向けて吹き出す。
【００３２】
第２系統Ｐ２では、２台の第２空調機２Ｂ、２Ｂの各々によって調整された給気ＳＢが給気ダクト３６によって一対の第２吹出口３４，３４の各々に向けて送風され、さらに第２フィルターユニット３３を通過し、一対の第２吹出口３４、３４から下方の外周部Ｎに向けて吹き出す。
【００３３】
第１空調機２Ａでは、冷熱源装置（図示省略）から冷却・減湿用の冷水又は冷媒が供給される冷却コイル２１と、温熱源装置（図示省略）から加熱・再熱用の温水が供給される加熱コイル（又は電気ヒーター）２２が各々独立で自立縦型のケーシング２０内に組み込まれている。図２に示すように、ケーシング２０には、底部側面に配設された還気ＲＡの第２吸込口２３と、頂部に配設された給気ＳＡの吹出部２４と、冷却コイル２１及び加熱コイル２２の上方に送風機２５が設けられている。なお、後述する外調機５を設けない場合には、さらに加湿器（図示省略）が設けられていることが好ましい。
【００３４】
第１空調機２Ａは、送風機２５により第２吸込口２３からケーシング２０内に吸い込んだ還気ＲＡに対して冷却コイル２１による冷却処理と、加熱コイル２２による加熱・再熱処理とを、手術室１のその時点での温度に応じて同時に又は選択的に行う。第１空調機２Ａによって、所望の温度の給気ＳＡが効率的且つ精度良く調整される。なお、外調機５を設けない場合には、第１空調機２Ａに除湿・加熱機能をもたせることが好ましい。
【００３５】
上述の空調処理を自動的且つ精度良く迅速に行うために、第１吹出口３２の内側には、給気ＳＡの吹き出し温度を検出するための温度センサーＴ１が設置されている。空調システム５０では、温度センサーＴ１の検出結果に基づき、冷却制御、加熱制御を公知の比例制御（ＰＩＤ制御）によるアルゴリズムに基づいて給気ＳＡの温度を制御することによって、手術室１の温度を精度良く刻々と制御し、手術台１０周りの温度を執刀医Ｄ１の要求する温度に設定可能とされている。
【００３６】
なお、温度センサーＴ１の取り付け位置は、第１吹出口３２内に限定されない。即ち、温度センサーＴ１は、手術台１０周りの温度を検出できるように、手術台１０周りに設置されていてもよい。この場合、温度センサーＴ１を無線で通信可能なものにすることで、手術台１０周りに配線されないようにし、執刀医Ｄ１の作業や動きを妨げないようにすることができる。
【００３７】
第２空調機２Ｂでは、第１空調機２Ａの冷却コイル２１と加熱コイル２２とを一体で設けた冷却・加熱コイル２６が用いられている。第２空調機２Ｂにおける冷却・加熱コイル２６以外の構成は、第１空調機２Ａとほぼ同様である。即ち、第２空調機２Ｂのケーシング２０には、上述した冷却・加熱コイル２６と、底部側面に配設された還気ＲＡの第２吸込口２３と、頂部に配設された給気ＳＢの吹出部２４と、冷却・加熱コイル２６の上方に配設された送風機２５と、を備えている。
【００３８】
手術室１の側壁１２には、還気ＲＡの温度を検出するための温度センサーＴ２が設置されている。第２空調機２Ｂでは、給気ＳＢの温度が温度センサーＴ２の検出値に対応する温度に調整される。
【００３９】
第２空調機２Ｂは、送風機２５によって第２吸込口２３からケーシング２０内に吸い込まれた還気ＲＡに対して冷却・加熱コイル２６による冷却と加熱を手術室１のその時点での温度に応じて選択的に行う。これにより、手術室１の室温が所望の室温に効率的且つ精度良く調整される。
【００４０】
図２及び図３に示すように、手術室１の外周部Ｎに面する天井１１には、手術室１の還気ＲＡを吸引する第１吸込口４が設けられている。第１吸込口４は、ダクト４２によって第１吹出口３２に接続されている。ダクト４２には循環ファン４１が設けられており、第１吸込口４で吸引された還気ＲＡは第１吹出口３２から吹き出すように循環する。
【００４１】
なお、上部吸込口４は、第１空調機２Ａ及び第２空調機２Ｂの各々に設けられる第２吸込口２３よりも上方であって、外周部Ｎに面する天井１１及び側壁１２のうち少なくとも一部に設けられていればよく、天井１１に設けられていることに限定されない。
【００４２】
空調システム５０は、手術室１に供給する外気ＯＡを処理するための外調機５を備えている。外調機５によって処理された外気ＳＯＡは、外気ダクト５１により第１フィルターユニット３１及び第１吹出口３２に供給される。即ち、第１空調機２Ａからの給気ＳＡと外調機５からの外気ＳＯＡとが第１フィルターユニット３１において混合され、外気ＳＯＡと混合された給気ＳＡが手術室１に吹き出される。
【００４３】
なお、以上の各構成要素に加えて、空調システム５０は、必要であれば手術室１に供給する外気ＯＡの導入量に応じて手術室１から排気を行うための排気設備を備えていてもよい。また、空調システム５０では、以上の各構成要素の全てを制御盤（図示省略）により相互に関連づけて制御可能とされていてもよい。また、外調機５は省略可能であり、送風機のみで外気ＯＡが第１空調機２Ａに供給され、第１空調機２Ａで除湿、加湿が行われてもよい。
【００４４】
給気ＳＢは、一対の第２吹出口から手術室１の側壁１２Ｓに沿って平面視で互いに逆向き且つ略水平方向に吹き出す。一対の第２吹出口３４，３４の各々から吹き出される給気ＳＢの吹き出し速度は、０．５ｍ／ｓ以上３．０ｍ／ｓ以下に設定されていることが好ましく、概ね１ｍ／ｓに設定されていることがより好ましい。なお、第１吹出口３２から吹き出される給気ＳＡの吹き出し速度は、０．１ｍ／ｓ以上１．０ｍ／ｓ以下に設定されていることが好ましく、概ね０．３ｍ／ｓに設定されていることがより好ましい。
【００４５】
また、一対の第２吹出口３４，３４では、給気ＳＢの吹き出し方向を水平方向及び上下方向において所定の角度（例えば、所定の吹き出し方向から０°より大きく、９０°以内）で調節可能とされていてもよい。具体的には、一対の第２吹出口３４，３４には回動可能な縦羽根や横羽根（少なくとも縦羽根）が設けられていてもよく、一対の第２吹出口３４，３４は例えばＶＨＳ型で構成されていてもよい。前述の構成によって、手術室１の外周部Ｎにおける空気の流れ等を考慮して一対の第２吹出口３４，３４から吹き出す給気ＳＢの方向を調節し、外周部Ｎにおける空気の流れを良好に生じさせると共に、良好な空気の流れを維持し易くなる。
【００４６】
次いで、上述の手術室の空調システム５０の作用効果について、詳細に説明する。
本実施形態の空調システム５０によれば、図２に示すように、第１系統Ｐ１において第２吸込口２３で吸引した手術室１の還気ＲＡを第１空調機２Ａで調製し、調製された給気ＳＡを第１吹出口３２から手術台１０に向けて吹き出すことができる。これにより、図１及び図４に示すように、給気ＳＡによる下降流ＦＡを発生させ、手術台１０及び手術台１０周りの執刀医Ｄ１等は快適な温度で作業を行うことができる。一方、第１系統Ｐ１とは別で設けられる第２系統Ｐ２によって第２吸込口２３で吸引した手術室１の還気ＲＡを第２空調機２Ｂで調製し、調製された給気ＳＢを、第２吹出口３４から手術室１における外周部Ｎに向けて吹き出すことができる。これにより、図１及び図４に示すように、給気ＳＢによる旋回流ＦＢを発生させることができる。なお、図４では、下降流ＦＡと旋回流ＦＢをわかりやすく示すために、第２吹出口３４以外の空調システム５０の構成の一部の図示を省略している。
【００４７】
上述のように、手術台１０への吹き出しをメインとする第１系統Ｐ１とは別系統の第２系統Ｐ２を設けることで、手術台１０周りと外周部Ｎの双方の空調を対象とした温度制御を行い、執刀医Ｄ１及び外周部Ｎで作業する医療スタッフＤ２（図１及び図２参照）の清浄度を向上させることができる。また、第２吹出口３４から給気ＳＢが吹き出されることで、外周部Ｎにおいて空気が滞留する淀みを抑えることができる。つまり、外周部Ｎの空気に流れ、即ち旋回流ＦＢを生じさせることができることから、外周部Ｎの清浄度を改善することができる。また、第１吹出口３２が天井１１に設けられると共に、一対の第２吹出口３４，３４が側壁１２Ｌの上部に設けられ、且つ給気ＳＢが略水平方向に沿って吹き出すと共に、第２吸込口２３が側壁１２の下部に設けられているので、冷風のショートサーキットを防止することができる。
【００４８】
また、本実施形態の空調システム５０によれば、一対の第２吹出口３４，３４が側壁１２の上部において平面視で手術台１０を挟んで対角線Ｃ上に設けられているので、給気ＳＢが手術台１０周りの給気ＳＡに影響を与えないようにすることができる。これにより、手術台１０の気流が乱れ難くなるため、前述のように外周部Ｎにおいて空気が滞留する淀みを確実に抑えることができる。その結果、手術台１０周り及び外周部Ｎにおける快適性及び清浄度を向上させることができる。
【００４９】
また、本実施形態の空調システム５０によれば、手術室１は平面視において長方形に形成され、一対の第２吹出口３４，３４は前記長方形の長辺をなす側壁１２Ｌの端部に設けられ、第２系統Ｐ２は給気ＳＢを一対の第２吹出口３４，３４から前記長方形の短辺をなす側壁１２Ｓに沿って吹き出す。これにより、一対の第２吹出口３４，３４から吹き出す給気ＳＢが手術台１０周りの空気の流れを確実に乱し難くなり、手術台１０周り及び外周部Ｎにおける快適性を良好に維持することができる。また、一対の第２吹出口３４，３４から給気ＳＢを手術室１の側壁１２に沿って平面視で互いに逆向きに吹き出させることで、外周部Ｎの全体に亘って効率良く清浄空気を送ることができる。また、一対の第２吹出口３４，３４が側壁１２Ｓの上部及び端部、且つ、手術台１０を挟んで対角線（不図示）上に設けられ、給気ＳＢが側壁１２Ｌに沿って吹き出す場合に比べて、一対の第２吹出口３４，３４が側壁１２Ｌの上部及び端部、且つ、手術台１０を挟んで対角線Ｃ上に設けられ、給気ＳＢを手術室１の側壁１２Ｓに沿って吹き出させることで、手術台１０周りの空気の流れをより確実に乱し難くすることができる。
【００５０】
また、本実施形態の空調システム５０によれば、給気ＳＢの吹き出し速度は０．５ｍ／ｓ以上３．０ｍ／ｓ以下に設定されているので、給気ＳＢを適切な速度で外周部Ｎに渡らせると共に、手術台１０周りの空気の流れを確実に乱れ難くすることができる。
【００５１】
また、本実施形態の空調システム５０によれば、第２吹出口３４，３４は給気ＳＢの吹き出し方向を変更可能に構成されているので、手術室１における全体的な空気の流れや給気ＳＢによる下降流ＦＡの状況等に合わせて給気ＳＢの吹き出し方向を調整可能とし、下降流ＦＡを乱すことなく旋回流ＦＢを円滑に効率良く発生させ、維持し易くすることができる。
【００５２】
以上、本発明に係る手術室の空調システムの一実施形態について説明したが、本発明は上述の一実施形態に限定されるものではなく、その趣旨を逸脱しない範囲で適宜変更可能である。
【００５３】
例えば、本発明を適用した空調システム５０では、第２吹出口３４から吹き出される給気ＳＢによって旋回流ＦＢを発生させることができれば、第２吹出口３４の設置位置は上述の実施形態で説明したように側壁１２の上部に限定されず、天井１１の外周部でもよい。第２吹出口３４が天井１１の外周部に設けられ、給気ＳＢが側壁１２に沿って手術室１における外周部Ｎに吹き出せば、旋回流ＦＢが発生し、上述の実施形態と同様の作用効果が得られる。
【００５４】
また、本発明を適用した空調システム５０は、平面視において長方形に形成された手術室１に限らず、任意の形状（例えば、正方形や円形）の手術室にも適用可能である。
【００５５】
また、本発明を適用した空調システム５０では、旋回流ＦＢを発生させることができれば、第２吹出口３４の数は上述の実施形態で説明した二つに限定されず、適宜変更されてよい。第２吹出口の仕様や給気ＳＡの吹き出し速度等は、手術室１の寸法・用途、天井１１の高さ等を勘案して適宜設定されている。
【００５６】
また、上述の実施形態では、手術室１の天井１１に第１吸込口４が設けられているが、第１吸込口４や循環ファン４１は省略可能である。
【符号の説明】
【００５７】
１  手術室
２Ａ  第１空調機
２Ｂ  第２空調機
１０  手術台
１２，１２Ｌ，１２Ｓ  側壁
２３  第２吸込口（吸込口）
３２  第１吹出口
３４  第２吹出口（一対の第２吹出口）
Ｐ１  第１系統
Ｐ２  第２系統
Ｎ  外周部
ＲＡ  還気
ＳＡ  給気（第１給気）
ＳＢ  給気（第２給気）
ＦＢ  旋回流
【図１】
2018194265.tif 000003
【図２】
2018194265.tif 000004
【図３】
2018194265.tif 000005
【図４】
2018194265.tif 000006